(57)【特許請求の範囲】
【請求項１】
マイクロホンおよびレシーバと、
スピーカと、
複数の妨害音声単位データを格納するメモリと、
前記メモリから１つ以上の前記妨害音声単位データを取り出して、妨害音声データを発生して前記スピーカに供給する妨害音声発生手段と、
前記妨害音声発生手段に接続された消音手段であって、前記妨害音声発生手段から妨害音声データを受け取って処理して前記妨害音声データに対応する打ち消し音声データを発生し、前記マイクロホンによって捕捉された音声データと前記打ち消し音声データとを合成する消音手段と、
表示装置と、
文字、数字、記号または符号を表す或るキャラクタを前記表示装置に表示して、ユーザに前記或るキャラクタを発音させ、前記マイクロホンによって捕捉された前記或るキャラクタに対応する前記ユーザの発音データを、前記妨害音声単位データとして前記メモリに格納する妨害音声単位データ生成手段と、
を具えることを特徴とする電話機。
【請求項２】
マイクロホンおよびレシーバと、
スピーカと、
複数の妨害音声単位データを格納するメモリと、
前記メモリから１つ以上の前記妨害音声単位データを取り出して、妨害音声データを発生して前記スピーカに供給する妨害音声発生手段と、
前記妨害音声発生手段に接続された消音手段であって、前記妨害音声発生手段から妨害音声データを受け取って処理して前記妨害音声データに対応する打ち消し音声データを発生し、前記マイクロホンによって捕捉された音声データと前記打ち消し音声データとを合成する消音手段と、
ネットワークを介して受信した受信信号中の音声信号を認識する音声認識手段と、
を具え、
前記音声認識手段によって前記受信信号中に暗証コードの入力の指示を表す音声が検出されたとき、前記妨害音声発生手段は前記妨害音声データを発生することを特徴とする、電話機。
【請求項３】
マイクロホンおよびレシーバと、
スピーカと、
複数の妨害音声単位データを格納するメモリと、
前記メモリから１つ以上の前記妨害音声単位データを取り出して、妨害音声データを発生して前記スピーカに供給する妨害音声発生手段と、
前記妨害音声発生手段に接続された消音手段であって、前記妨害音声発生手段から妨害音声データを受け取って処理して前記妨害音声データに対応する打ち消し音声データを発生し、前記マイクロホンによって捕捉された音声データと前記打ち消し音声データとを合成する消音手段と、
ネットワークを介して受信した受信信号中のコードを検出する検出手段と、
を具え、
前記検出手段によって前記受信信号中に暗証コードの入力の指示を表すコードが検出されたとき、前記妨害音声発生手段は前記妨害音声データを発生することを特徴とする、電話機。
【発明の詳細な説明】
【技術分野】
【０００１】
本発明は、電話機に関し、特に通話内容が周囲の他人に聞き取られるのを防止することができる電話機に関する。
【背景技術】
【０００２】
電話サービスには、ユーザに暗証番号を音声で入力させることによってユーザの認証を行うものがある。周囲に他人がいる状況でそのような電話サービスを利用すると、暗証番号が他人に知られてしまう危険性がある。
【０００３】
固定電話機を電話ボックス内に配置することによって通話中の音声の周囲への漏れを抑制することができる。
【０００４】
特開平８−２９６３３５号公報（Ａ）には、アクティブ防音フード装置が記載されている。その装置において、簡易的な防音フードで、電話の通話に十分な防音性能を得ると共に、通話が外部に漏れないようにする。その装置において、電話器の設置場所に防音フードを設け、この上部に制御スピーカを下向きに、マスキングスピーカを上向きに取り付ける。また防音フードの天面に騒音検出器を、くりぬき部の左右に誤差検出器を夫々取り付ける。外来騒音が大きい場合、この騒音は騒音検出器で検出され、ＡＮＣ制御部に与えられる。ＡＮＣ制御部は騒音と概ね逆位相の消音制御信号を生成し、制御スピーカに与える。こうすると通話者には外来騒音が聞こえず、電話器から明瞭度の高い音声を聞くことができる。周囲が静かな場合、マスキング音がマスキングスピーカから外部に放射され、通話者の会話の守秘性が高まる。
【特許文献１】特開平８−２９６３３５号公報
【発明の開示】
【発明が解決しようとする課題】
【０００５】
携帯電話機や電話ボックスのない固定電話機で通話中にＩＤ、パスワードまたは電話番号等の個人情報などの周囲にいる人に聞かれたくない情報を話さなければならないことがある。この場合、小声で話すことによって対処するしかない。しかし、小声で音声入力を行うと、ユーザの認証が失敗することがある。
【０００６】
通常の逆位相の消音信号を発生する消音技術を用いても、携帯電話機や固定電話機の周囲の全ての方向および位置において完全に消音することは困難である。
【０００７】
発明者たちは、電話機から話者の音声と類似した妨害音声を積極的に発生することによって、通話内容が他人に聞き取られるのを防止すると効果的であると認識した。
【０００８】
本発明の目的は、電話機で通話中に、周囲にいる他人によってユーザの通話内容が聞き取られるのを防止することである。
【０００９】
本発明の別の目的は、電話機によって発生された妨害音声が通話相手の電話機にエコーとして漏れるのを抑制することである。
【課題を解決するための手段】
【００１０】
本発明の特徴によれば、電話機は、マイクロホンおよびレシーバと、スピーカと、表示装置と、複数の妨害音声単位データを格納するメモリと、そのメモリから１つ以上のその妨害音声単位データを取り出して、妨害音声データを発生してそのスピーカに供給する妨害音声発生手段と、その妨害音声発生手段に接続された消音手段であって、その妨害音声発生手段から妨害音声データを受け取って処理してその妨害音声データに対応する打ち消し音声データを発生し、そのマイクロホンによって捕捉された音声データとその打ち消し音声データとを合成する消音手段と、表示装置と、文字、数字、記号または符号を表す或るキャラクタを前記表示装置に表示して、ユーザにその或るキャラクタを発音させ、そのマイクロホンによって捕捉されたその或るキャラクタに対応するそのユーザの発音データを、その妨害音声単位データとしてそのメモリに格納する妨害音声単位データ生成手段と、を具えている。
【発明の効果】
【００１１】
本発明によれば、電話機で通話中に、周囲にいる他人によってユーザの通話内容が聞き取られるのを防止することができ、電話機によって発生された音声が通話相手の電話機に漏れるのを抑制することができる。
【発明を実施するための最良の形態】
【００１２】
本発明の実施形態を、図面を参照して説明する。図面において、同様の構成要素には同じ参照番号が付されている。
【００１３】
図１は、本発明の実施形態による携帯電話機１００の開いた状態の斜視図である。図２は、携帯電話機１００の完全に開いた状態の左側面図である。図３は、携帯電話機１００の完全に開いた状態の背面図である。ここでは、本発明を携帯電話機について説明するが、本発明は固定電話機にも適用できる。本発明の実施形態では、話者の音声を妨害するのに、話者の音声と類似した妨害音声を積極的に発生することによって、通話内容が他人に聞き取られるのを効果的に防止しているが、妨害音声は、本人が登録した音声でなくてもよいし、合成音声でもよいし、単なる雑音であってもよい。
【００１４】
図１〜３を参照すると、携帯電話機１００は、内側に、複数のキー１２と、マイクロホン２０と、受信した通話相手のユーザまたは自動音声応答装置の通話音声を発生するレシーバ２２と、主要表示装置３０と、を具え、また左側面に携帯電話機１００の機能操作用のキー・スイッチ１４を具え、さらに背面に、補助表示装置３２と、例えば呼び出し信号、メール着信音および妨害音声のような主に携帯電話機１００によって発生された音を発生するスピーカ２４と、ディジタル・カメラ機能４０と、を具えている。レシーバ２２は、小型であり、耳元で聞こえる大きさの音声を発生するだけで充分である。スピーカ２４は、レシーバ２２より寸法が大きく、周囲に聞こえる大きな音を発生することができる。キー・スイッチ１４は、非通話中はディジタル・カメラ機能の撮像スイッチとして機能し、通話中は妨害音声発生起動スイッチとして機能する。
【００１５】
図４は、本発明の実施形態で用いられる携帯電話機１００のブロック図を示している。
【００１６】
図４において、携帯電話機１００は、内部バス１０６に接続された、ＣＰＵ１０２、ディジタル信号プロセッサ（ＤＳＰ）１０４、ＳＲＡＭ１０８、ディジタル音声インタフェース（Ｉ／Ｆ）１１０、グラフィック制御器１３０、外部通信ＵＳＢ１４０、入力出力インタフェース（Ｉ／Ｏ  Ｉ／Ｆ）１８２、メモリ・インタフェース（Ｉ／Ｆ）１９２およびシリアル通信部１５２、１５４、１６２および１７２を具えている。携帯電話機１００は、さらに、ディジタル音声インタフェース１１０に接続されたコーデック部（ＣＯＤＥＣ）１２０と、グラフィック制御器１３０に接続された主要表示装置３０と、シリアル通信部１５２および１５４に接続されたモデム１５０と、入力出力インタフェース１８２に接続されたフラッシュＲＯＭ１８０と、接続されたメモリ・インタフェース１９２に接続されたＳＤＲＡＭ１９０と、シリアル通信部１６２に接続されたスイッチ制御器１６０と、シリアル通信部１７２に接続された電源制御器１７０と、を具えている。コーデック部１２０は、さらに、増幅器（ＡＭＰ）２２４を介してレシーバ２２に接続され、増幅器（ＡＭＰ）２３４を介してレシーバ２２に接続され、増幅器（ＡＭＰ）２４４を介してマイクロホン２０が接続されている。
【００１７】
図５は、本発明の実施形態による概略的な携帯電話機１００の関連主要部分のブロック図を示している。携帯電話機１００は、さらに、妨害音声単位データを発生してフラッシュＲＯＭ１８０に格納する妨害音声単位データ生成部３００と、モデム１５０の受信復号部が接続されたコード検出部３３０と、モデム１５０の受信復号部が接続された音声認識部３４０と、上述のスイッチ制御部１６０、コード検出部３３０および音声認識部３４０の出力が接続されコーデック部１２０のコード入力に接続された妨害音声発生部３２０と、妨害音声発生部３２０の出力およびコーデック部１２０のコード出力が接続されモデム１５０の送信符号化部に接続された消音部２００と、を具えている。消音部２００の出力は、妨害音声単位データ生成部３００および音声認識部３４０にも接続されている。消音部２００、妨害音声単位データ生成部３００、妨害音声発生部３２０、コード検出部３３０および音声認識部３４０は、フラッシュＲＯＭ１８０に格納されたプログラムに従ってディジタル信号プロセッサ１０４およびＣＰＵ１０２上に実装することができる。
【００１８】
図５において、妨害音声単位データ生成部３００は、マイクロホン２０、コーデック部１２０および消音部２００を介して音声入力された、例えばアルファベットおよび平仮名等の文字、数字、記号および符号のうちの少なくとも１種類の様々なキャラクタのユーザの発音を妨害音声単位データとしてキャラクタ発音単位でフラッシュＲＯＭ１８０に格納する。
【００１９】
スイッチ制御器１６０は、通話中にユーザによるキー・スイッチ１４の押下を検出して妨害音声発生要求信号を妨害音声発生部３２０に供給する。ユーザが携帯電話機１００を用いて通話している間にキー・スイッチ１４を押すと、スイッチ制御器１６０がそれを検出して、キー・スイッチ１４が押されている期間中、妨害音声発生要求信号を出力する。ここでは、キー・スイッチを押し続けている間は妨害音声要求信号が発生し続け、キー・スイッチ１４を離すと妨害音声要求信号の発生が停止することとしたが、キー・スイッチ１４を一度押すと妨害音声要求信号が発生し続け、キー・スイッチ１４をもう一度押すと妨害音声要求信号の発生が停止するようにしてもよい。
【００２０】
コード検出部３３０は、モデム１５０の受信復号部において通話相手の音声応答装置から受信した受信信号中の暗証番号の音声入力を指示する所定のコードを検出して、妨害音声発生要求信号を妨害音声発生部３２０に供給する。音声認識部３４０は、モデム１５０の受信復号部において通話相手の音声応答装置から受信した受信信号中の暗証番号の音声入力を指示する定型的な音声応答を認識して、妨害音声発生要求信号を妨害音声発生部３２０に供給する。音声認識部３４０は、マイクロホン２０、コーデック１２０および消音部２００を介して受け取ったユーザの音声を認識して、妨害音声発生部３２０の起動の後、妨害音性を発生し、その後所定時間以上ユーザが発話を行わなかった場合は、妨害音声発生部３２０を消勢する。
【００２１】
妨害音声発生部３２０は、スイッチ制御器１６０、コード検出部３３０または音声認識部３４０から受け取った妨害音声発生要求信号に従って、１つ以上の妨害音声単位データを乱数に従ってランダムに取り出し、それらを組み合わせて妨害音声データを発生し、それをコーデック部１２０を介してスピーカ２４に供給する。妨害音声発生部３２０は、フラッシュＲＯＭ１８０からキャラクタ発音単位でランダムに妨害音声データを読み出してディジタル音声インタフェース１１０を介してコーデック部１２０に供給する。コーデック部１２０は、そのランダムな妨害音声データに従って、再生された妨害音声をスピーカ２４を介して発生する。スピーカ２４によって発生される妨害音声の音量は、マイクロホン２０で受音されてフィードバックされたユーザ自身の音声の受音レベル（消音部２００の出力音声データのレベル）をＣＰＵ１０２によって検出しその検出レベルに応じてＣＰＵ１０２によって、またはユーザにより手動で、携帯電話機１００の周囲においてユーザ本人の声の大きさと同程度のレベルかまたはそれより大きいレベルで聞こえるように調整され、それによってユーザ本人の声が聞き取られにくいようにする。
【００２２】
消音部２００は、妨害音声発生部３２０によって発生された妨害音声データを処理して打ち消し音声データを発生し、マイクロホン２０によってコーデック１２０を介して捕捉された音声データ中の妨害音声成分を、その捕捉された音声データとその打ち消し音声データとを合成することによって実質的に打ち消す。従って、妨害音声を実質的に含まないユーザの音声データだけが相手の電話機または自動応答装置に達する。
【００２３】
図６は、本発明の実施形態による、携帯電話機１００のスピーカ２４から発生した妨害音声がマイクロホン２０に回り込んで通話相手の電話機または自動音声応答装置に送られるのを防止するための消音部２００の構成を示している。
【００２４】
消音部２００は、妨害音声発生部３００から妨害音声データを入力を介して受け取って打ち消し（キャンセル）用の音声データを発生する音響空間シミュレータ２１０と、マイクロホン２０から入力された音声データからその打ち消し用の音声データを減算して合成し、その合成音声データを出力する差動増幅器２３０と、差動増幅器２３０からの出力をフィードバック信号として入力して空間シミュレータ２１０のパラメータを制御するパラメータ制御部２２０と、を具えている。
【００２５】
消音部２００は、妨害音声データ発生部３２０によって生成された妨害音声データを入力を介して受け取って、それをコーデック部１２０内のディジタル−アナログ変換器２３２に供給し、ディジタル−アナログ変換器２３２はそれを増幅器２３４を介してスピーカ２４に供給する。スピーカ２４は妨害音声データに対応する妨害音声を発生する。その妨害音声はユーザのキャラクタ発音単位のランダムな組み合わせなので、ユーザの現在の通話における暗証番号等の発音と区別できず、周囲にいる他人はユーザの発する暗証番号等の音声を聞き取ることができない。しかし、スピーカ２４からの妨害音声は回り込んで、ユーザの通話音声とともにマイクロホン２０に入ってくる。従って、マイクロホン２０から増幅器２４４およびアナログ−ディジタル変換器２４２を介して発生した音声データには、ユーザの通話音声成分と回り込んだ妨害音声成分とが混合している。その混合音声データは差動増幅器２３０の非反転入力端子（＋）に供給される。音響空間シミュレータ２１０は、スピーカ２４からマイクロホン２０への回り込みによる妨害音声の減衰および遅延に合わせて、入力された元の妨害音声データをレベル調整し遅延させて、調整された妨害音声成分を発生して差動増幅器２３０の反転入力端子（−）に供給する。
【００２６】
差動増幅器２３０は、マイクロホン２０から入力された混合音声データからその調整された妨害音声成分を減算して、妨害音声成分が実質的に打ち消されたユーザの通話音声データを生成する。このようにして、マイクロホン２０で受音した音声データから妨害音声成分を実質的に除去した音声データが通話相手の電話機または自動応答装置に送信される。
【００２７】
図７は、音響空間シミュレータ２１０の内部構成を示している。パラメータ制御器２１８は、差動増幅器出力２３０の出力に応じて利得制御パラメータと遅延量制御パラメータとを音響空間シミュレータ２１０にフィードバック信号として供給する。音響空間シミュレータ２１０は、その利得制御パラメータに従って入力音声データのレベルを増幅し増幅出力を供給する増幅制御器２１２と、その増幅出力をその遅延量制御パラメータに従って遅延させる遅延制御器２１４とを具えている。
【００２８】
図８は、妨害音声単位データ生成部３００によって実行される、携帯電話機１００のユーザ自身の音声を入力して妨害音声単位データをキャラクタ発音単位で生成して保存するためのフローチャートを示している。
【００２９】
図８を参照すると、ステップ７０２において、ユーザによるキー１２の操作に従って、ＣＰＵ１０２は、主要表示装置３０に処理メニューを表示し、メニューの中からユーザによって選択された音声入力のための画面を表示する。その画面には、暗証コードとして使用され得るキャラクタの種別、例えば“数字”、“アルファベット” 、“記号”、“符号”または“ひらがな”が表示される。ステップ７０４において、ユーザによるキー１２の操作に従って、妨害音声単位データ生成部３００は、これから音声入力しようとするキャラクタの種別、例えば“数字”を選択する。
【００３０】
ステップ７０６において、妨害音声単位データ生成部３００は、ユーザが発音すべきキャラクタ種別の最初のキャラクタ、例えば数字“１”を発生するよう指示する画面を主要表示装置３０に表示する。代替構成として、その指示は、ＣＰＵ１０２によって起動される音声ガイダンス機能によってレシーバ２２を介して発生されてもよい。ステップ７０８において、妨害音声単位データ生成部３００はユーザの音声を録音する。ステップ７１０において、妨害音声単位データ生成部３００は、録音データの中からユーザの１つのキャラクタの発音データ（例えば“イチ”）を切り出して妨害音声単位データとしてフラッシュＲＯＭ１８０に格納する。
【００３１】
ステップ７１２において、妨害音声単位データ生成部３００はキャラクタ種別の全てキャラクタの音声入力が完了したかどうかを判定する。それが完了したと判定された場合には、手順はこのルーチンを出る。それが完了していないと判定された場合は、ステップ７０６に戻る。ステップ７０６において、妨害音声単位データ生成部３００は、次のキャラクタ、例えば数字“２”を発生するよう指示する画面を主要表示装置３０に表示する。このようにして、ステップ７０４〜７１２が繰り返されて、キャラクタ種別の一連のキャラクタ、例えば数字“１”〜“０”の発音データがフラッシュＲＯＭ１８０に格納される。
【００３２】
図９は、ＣＰＵ１０２によって実行される、妨害音声を発生するためのフローチャートを、特に、キー・スイッチを用いた場合について示している。
【００３３】
ユーザが通話中にキー・スイッチ１４を押すと、スイッチ制御器１６０は妨害音声発生要求信号を出力する。ステップ７２２において、ＣＰＵ１０２は、ユーザが携帯電話機１００を用いて通話している期間に、スイッチ制御器１６０が妨害音声発生要求信号を出力したかどうかを判定する。妨害音声発生命令信号が出力されるまでステップ７２２が繰り返される。妨害音声発生要求信号が出力されたと判定された場合、ステップ７２４において、ＣＰＵ１０２は、妨害音声発生部３２０および消音部２００を起動する。妨害音声発生部３２０は、フラッシュＲＯＭ１８０からキャラクタ発音単位でランダムに選択された数の１つ以上の妨害音声単位データをランダムに読み出してディジタル音声インタフェース１１０を介してコーデック・チップ１２０に連続的に供給する。コーデック部１２０は、そのランダムな妨害音声データに従って、再生された妨害音声をスピーカ２４を介して発生する。一方、消音部２００は、マイクロホン２０に回り込んだ受音音声データ中の妨害音声成分の消音を行い、即ち妨害音声がマイクロホン２０に回り込んで通話相手の電話機または自動音声応答装置に送られるのを防止する。
【００３４】
ステップ７２４において妨害音声発生部３２０によって１回目の１つ以上の妨害音声単位データが供給開始された直後、ステップ７２６において、ＣＰＵ１０２はランダムに選択した短い時間（例えば、０．５秒、１秒、１．５秒および２秒の中の１つ）だけ遅延させる。ＣＰＵ１０２はその遅延時間の期間において妨害音声を発生し続ける。ステップ７２８において、ＣＰＵ１０２は妨害音声発生要求信号が停止したかどうかを判定する。ユーザが通話中にキー・スイッチ１４を離すと、ＣＰＵ１０２はそれを妨害音声発生要求信号が停止したと判定する。妨害音声発生要求が停止したと判定された場合は、ステップ７３２において、ＣＰＵ１０２は妨害音声発生部３２０および消音部２００の動作を停止する。妨害音声発生要求が停止していないと判定された場合は、手順はステップ７２４に戻る。ステップ７２４において妨害音声発生部３２０によって２回目の１つ以上の妨害音声単位データが供給開始される。キー・スイッチ１４が押されている限り、ランダムに選択した短い時間の後、同様に、３回目以降の１つ以上の妨害音声単位データが供給開始される。このように複数回の妨害音声の発生開始タイミングと間隔とをランダムにすることによって、数回分の一連の妨害音声単位データがずれて部分的に同時に発生され、そのずれて部分的に重なった複数回分の再生された妨害音声がスピーカ２４から発生する。
【００３５】
図１２は、本発明の実施形態による妨害音声の発生シーケンスを説明するための図である。図１２（Ａ）に示されているようにキャラクタ発音単位の妨害音声を周期的に規則的に発生するとユーザの通話内容が比較的聞き取られやすくなる。しかし、図１２（Ｂ）に示されているように複数回の妨害音声の発生開始タイミングと間隔とをランダムにすると、ユーザの通話内容を周囲の他人に聞き取られにくくすることができる。
【００３６】
図１０は、図９のフローチャートを変形したものであり、ＣＰＵ１０２によって実行される、妨害音声を発生するための別のフローチャートを示している。
【００３７】
ユーザが通話中にキー・スイッチ１４を一度押すと、スイッチ制御器１６０は妨害音声発生要求信号を出力する。ステップ７２３において、ＣＰＵ１０２は、ユーザが携帯電話機１００を用いて通話している期間に、スイッチ制御器１６０が妨害音声発生要求信号を出力したかどうかを判定する。この場合、キー・スイッチ１４を離してもよい。ステップ７２５において、ＣＰＵ１０２は、妨害音声発生部３２０、消音部２００および音声認識部３４０を起動する。妨害音声発生部３２０および消音部２００は、図１０のステップ７２４の場合と同様に動作する。図１０のステップ７２６は図９のものと同じであり、説明を省略する。
【００３８】
ステップ７３０において、ＣＰＵ１０２は、所定時間以上ユーザが沈黙しているかどうか、即ち所定時間以上ユーザの発話がない状態かどうかを判定する。沈黙していない、即ち発話があったと判定された場合は、手順はステップ７２４に戻る。所定時間以上沈黙していると判定された場合は、ステップ７３２において、ＣＰＵ１０２は妨害音声発生部３２０、消音部２００および音声認識部３４０の動作を停止する。
【００３９】
図１１Ａおよび１１Ｂは、ＣＰＵ１０２によって実行される、妨害音声を発生するためのさらに音声ポータルサイトに接続した場合等におけるフローチャートを示している。
【００４０】
ステップ８０２において、ＣＰＵ１０２はユーザが携帯電話機１００を用いて通話を開始したかどうか、即ち電話機をオフフックしたかどうかを判定する。通話が開始されるまでステップ８０２が繰り返される。通話が開始されたと判定された場合、ステップ８０４において、ＣＰＵ１０２は音声認識部３４０およびコード検出部３３０を起動する。ＣＰＵ１０２は、ディジタル信号プロセッサ１０４と共働して、音声認識部３４０を用いて、通話相手の電話機の自動応答装置から受信した音声データ中に、例えば“暗証番号を言って下さい”のような暗証番号の音声入力を指示する定型的な音声応答が存在するかどうかを認識する。また、ＣＰＵ１０２のコード検出部３３０は、音声応答装置からの暗証番号の音声入力を指示する所定のコードを検出する。
【００４１】
ステップ８０６において、ＣＰＵ１０２は、音声認識部３４０を用いて音声応答による暗証番号の音声入力の指示を受信したかどうか、およびコード検出部３３０を用いて所定のコードによる暗証番号の音声入力の指示を受信したかどうかを判定する。暗証番号の音声入力の指示を受信したと判定された場合は、手順は図１１Ｂのステップ７２５に進む。ステップ７２５〜７３２は図１０のものと同様であり、説明を省略する。ステップ７３２の後、手順は図１１Ｂのステップ８１２に進む。
【００４２】
ステップ８０６において暗証番号の音声入力の指示がないと判定された場合は、ステッにおいてＣＰＵ１０２は通常の通話処理を行う。ステップ８１２において、ＣＰＵ１０２は携帯電話機１００の送受信状態を検知して通話が終了したかどうか、即ち呼が解放されたかどうかを判定する。通話が終了していないと判定された場合は、手順はステップ８０６に戻る。通話が終了したと判定された場合は、ステップ８１４において音声認識部３４０およびコード検出部３３０の動作を停止する。
【００４３】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００４４】
以上の実施例を含む実施形態に関して、さらに以下の付記を開示する。
（付記１）  マイクロホンおよびレシーバと、
スピーカと、
複数の妨害音声単位データを格納するメモリと、
所定のタイミングで前記メモリから１つ以上の前記妨害音声単位データを取り出して、妨害音声データを発生して前記スピーカに供給する妨害音声発生手段と、
前記所定のタイミングで、前記妨害音声発生手段によって発生された妨害音声データを処理して打ち消し音声データを発生し、前記マイクロホンによって捕捉された音声データ中の妨害音声成分を、前記捕捉された音声データと前記打ち消し音声データとを合成することによって実質的に打ち消し、前記妨害音声発生が停止したとき前記打ち消し音声データの発生を停止する消音手段と、
を具えることを特徴とする電話機。
（付記２）  さらに、表示装置と、
文字、数字、記号または符号を表す或るキャラクタを前記表示装置に表示して、ユーザに前記或キャラクタを発音させ、前記マイクロホンによって捕捉された前記或るキャラクタに対応する前記ユーザの発音データを、前記妨害音声単位データとして前記メモリに格納する妨害音声単位データ生成手段を具えることを特徴とする、付記１に記載の電話機。
（付記３）  さらに、妨害音声発生用のキー・スイッチを具え、
前記所定のタイミングとして、前記キー・スイッチが操作されたとき、前記妨害音声発生手段は前記妨害音声データを発生するものであることを特徴とする、付記１または２に記載の電話機。
（付記４）  さらに、ネットワークを介して受信した受信信号中の音声信号を認識する音声認識手段を具え、
前記所定のタイミングとして、前記音声認識手段によって前記受信信号中に暗証コードの入力の指示を表す音声が検出されたとき、前記妨害音声発生手段は前記妨害音声データを発生するものであることを特徴とする、付記１または２に記載の電話機。
（付記５）  さらに、ネットワークを介して受信した受信信号中のコードを検出する検出手段を具え、
前記所定のタイミングとして、前記検出手段によって前記受信信号中に暗証コードの入力の指示を表すコードが検出されたとき、前記妨害音声発生手段は前記妨害音声データを発生するものであることを特徴とする、付記１または２に記載の電話機。
（付記６）  前記スピーカによって発生される妨害音声の音量は、情報処理手段によってまたはユーザにより手動で、電話機の周囲において前記ユーザ自身の声の大きさと同程度のレベルかまたはそれより大きいレベルで聞こえるように調整され、それによってユーザ自身の声が聞き取られにくいようにすることを特徴とする、付記１乃至５のいずれかに記載の電話機。
【図面の簡単な説明】
【００４５】
【図１】図１は、本発明の実施形態による携帯電話機の開いた状態の斜視図である。
【図２】図２は、携帯電話機の完全に開いた状態の左側面図である。
【図３】図３は、携帯電話機の完全に開いた状態の背面図である。
【図４】図４は、本発明の実施形態で用いられる携帯電話機のブロック図を示している。
【図５】図５は、本発明の実施形態による概略的な携帯電話機の関連主要部分のブロック図を示している。
【図６】図６は、本発明の実施形態による、携帯電話機のスピーカから発生した妨害音声がマイクロホンに回り込んで通話相手の電話機または自動音声応答装置に送られるのを防止するための消音部の構成を示している。
【図７】図７は、音響空間シミュレータの内部構成を示している。
【図８】図８は、妨害音声単位データ生成部によって実行される、携帯電話機のユーザ自身の音声を入力して妨害音声単位データをキャラクタ発音単位で生成して保存するためのフローチャートを示している。
【図９】図９は、ＣＰＵによって実行される、妨害音声を発生するためのフローチャートを示している。
【図１０】図１０は、ＣＰＵによって実行される、妨害音声を発生するための別のフローチャートを示している。
【図１１Ａ】図１１Ａおよび１１Ｂは、ＣＰＵによって実行される、妨害音声を発生するためのさらに別のフローチャートを示している。
【図１１Ｂ】.
【図１２】図１２は、本発明の実施形態による妨害音声の発生シーケンスを説明するための図である。
【符号の説明】
【００４６】
１００  電話機
１２０  コーデック部
１５０  モデム
１６０  スイッチ制御部
１８０  フラッシュＲＯＭ
２００  消音部
３００  妨害音声単位データ生成部
３２０  妨害音声発生部
３３０  コード検出部
３４０  音声認識部
【図１】
0004640801.tif 000002
【図２】
0004640801.tif 000003
【図３】
0004640801.tif 000004
【図４】
0004640801.tif 000005
【図５】
0004640801.tif 000006
【図６】
0004640801.tif 000007
【図７】
0004640801.tif 000008
【図８】
0004640801.tif 000009
【図９】
0004640801.tif 000010
【図１０】
0004640801.tif 000011
【図１１Ａ】
0004640801.tif 000012
【図１１Ｂ】
0004640801.tif 000013
【図１２】
0004640801.tif 000014